(57)【要約】      （修正有）【課題】棚板位置を容易に変更することができる植木鉢用棚を提供する。【解決手段】水平方向に平行に配置された対となる棚板受けバー２が支柱１間に上下方向に間隔を隔てて複数対支持されていて、棚板６の両端部が対となる棚板受けバー２に支持されるようになっている木製の植木鉢用棚Ａであって、各対となる棚板受けバー２は、対向する棚板受けバー２側の上端縁に、棚板受けバー２の長手方向に連続し、棚板６の端部が嵌り込むとともに、棚板６の下面を受ける棚板受部と、棚板受部から立ち上がり、棚板６の両端の位置を規制する立上り壁を有する切欠部２１を備えている。【選択図】図１
2019041673.tif 000002
【特許請求の範囲】
【請求項１】
水平方向に平行に配置された対となる棚板受けバーが支柱間に上下方向に間隔を隔てて複数対支持されていて、棚板の両端部が対となる棚板受けバーに支持されるようになっている木製の植木鉢用棚であって、
前記各対となる棚板受けバーは、対向する棚板受けバー側の上端縁に、棚板受けバーの長手方向に連続し、棚板の端部が嵌り込むとともに、棚板の下面を受ける棚板受部と、この棚板受部から立ち上がり、前記棚板の両端の位置を規制する立上り壁を有する切欠部を備えていることを特徴とする植木鉢用棚。
【請求項２】
棚板の長手方向の端面間の長さと、対となる棚板受けバーの立上り壁間の長さの差が１０ｍｍ以下である請求項１に記載の植木鉢用棚。
【請求項３】
棚板の厚みが切欠部の立上り壁の高さと同じに形成されている請求項１または請求項２のいずれかに記載の植木鉢用棚。
【請求項４】
棚板が、各段の棚板受けバー間に複数枚ずつ並べて掛け渡すことができる幅に形成されている請求項１〜請求項３のいずれかに記載の植木鉢用棚。
【請求項５】
棚板の幅が、前記棚板受けバーの全長の半分以下である請求項１〜請求項３のいずれかに記載の植木鉢用棚。
【発明の詳細な説明】
【技術分野】
【０００１】
本発明は、植木鉢用棚に関する。
【背景技術】
【０００２】
狭い設置面積で多数の植木鉢が並べられるように、多段に棚板を備えた植木鉢用棚が従来から用いられている。
また、このような植木鉢用棚には、棚板上に載置した植木鉢に植栽された植物を冬場や夜間の冷気から守るために、植木鉢用棚の周壁および天井部分を覆うとともに、前面で開閉できるような樹脂製のカバーが設けられるようになっているものがある（特許文献１）。
【０００３】
しかし、上記特許文献１に記載の植木鉢用棚の場合、棚板が固定されているため、植木鉢の高さなどに制限がある。
【先行技術文献】
【特許文献】
【０００４】
【特許文献１】意匠登録第1153761号公報
【発明の概要】
【発明が解決しようとする課題】
【０００５】
一方、ガーデニング・インテリア雑貨専門通販サイト  NOVO SHOPにて、通信販売されている商品名ＥＳＴＷＯＯＤシリーズの植木鉢用棚（http://novo-shop.jp/SHOP/172201/172202/list.html参照）の場合、棚板の端部を棚板受けバーの上面の所望位置に受けさせるようにしている。
しかしながら、上記のように、棚板の端部を棚板受けバーの上面の所望位置に受けさせる構成では、棚板がずれ動かないように棚板の端部を棚板受けバーにビス止めする必要があるため、棚に載せる植木鉢の大きさや高さ、植物の成長に応じて棚板の位置を変えるには、そのたびごとにビスを外し、再びビス止めする作業が必要で非常に面倒である。
【０００６】
本発明は、上記事情に鑑みて、棚板位置を容易に変更することができる植木鉢用棚を提供することを目的としている。
【課題を解決するための手段】
【０００７】
上記目的を達成するために、本発明にかかる植木鉢用棚（以下、「本発明の植木鉢用棚」は、水平方向に平行に配置された対となる棚板受けバーが支柱間に上下方向に間隔を隔てて複数対支持されていて、棚板の両端部が対となる棚板受けバーに支持されるようになっている木製の植木鉢用棚であって、前記各対となる棚板受けバーは、対向する棚板受けバー側の上端縁に、棚板受けバーの長手方向に連続し、棚板の端部が嵌り込むとともに、棚板の下面を受ける棚板受部と、この棚板受部から立ち上がり、前記棚板の両端の位置を規制する立上り壁を有する切欠部を備えていることを特徴としている。
【０００８】
本発明において、植木鉢用とは、概ね植木鉢が棚板上に載置されることを意味し、棚板上に園芸用品等の植木鉢以外を載置される場合もある。
本発明の植木鉢用棚に用いられる木材としては、想定される物品による荷重や風などより加わる外力に耐えることができれば、どのような木材を使用しても構わないが、たとえば杉材が挙げられる。
また、原木としては、間伐材を用いるようにしても構わない。
【０００９】
本発明の植木鉢用棚は、棚板の長手方向の端面間の長さと、対となる棚板受けバーの立上り壁間の長さの差が１０ｍｍ以下であることが好ましい。
すなわち、あまり差があると、棚板受けバーの立上り壁と棚板端面との隙間が大きくなり、見栄えが悪い。
【００１０】
本発明の植木鉢用棚は、棚板の厚みが切欠部の立上り壁の高さと同じに形成されていることが好ましい。
すなわち、棚板受けバー間に支持された状態で棚板の上面と棚板受けバーの上面との高さが同じとなり、棚板受けバーの上面も植木鉢の載置面とすることができ、載置面積を広くすることができる。
【００１１】
本発明の植木鉢用棚は、棚板が、各段の棚板受けバー間に複数枚ずつ並べて掛け渡すことができる幅に形成されている構成や、棚板の幅が、前記棚板受けバーの全長の半分以下である構成としてもよい。
【発明の効果】
【００１２】
本発明の植木鉢用棚は、上記のように、水平方向に平行に配置された対となる棚板受けバーが支柱間に上下方向に間隔を隔てて複数対支持されていて、棚板の両端部が対となる棚板受けバーに支持されるようになっている木製の植木鉢用棚であって、前記各対となる棚板受けバーは、対向する棚板受けバー側の上端縁に、棚板受けバーの長手方向に連続し、棚板の端部が嵌り込むとともに、棚板の下面を受ける棚板受部と、この棚板受部から立ち上がり、前記棚板の両端の位置を規制する立上り壁を有する切欠部を備えているので、棚板は、ビス止めしなくても、棚板受けバーからずれ落ちたりすることがない。また、切欠部の立上り壁によってガイドされながらスライドさせることができる。
【００１３】
したがって、棚に載せる植木鉢の大きさや高さ、植物の成長に応じて棚板によって形成される棚部の位置を容易に変えることができる。
さらに、木製であるので、不要となった場合、木材チップ化して再利用を図ることができるとともに、土中に埋めれば、生分解するため、環境にやさしい。
【図面の簡単な説明】
【００１４】
【図１】本発明の植木鉢用棚の第１の実施の形態をあらわす斜視図である。
【図２】図１の植木鉢用棚の正面図である。
【図３】図２のＸ−Ｘ断面図である。
【図４】図１の植木鉢用棚のフレーム部の組立方法を説明する図である。
【図５】図４の後工程を説明する図である。
【図６】図５の後工程を説明する図である。
【図７】図６の後工程を説明する図である。
【図８】図７の後工程を説明する図である。
【図９】図１の植木鉢用棚を温室として使用する場合の使用状態の１例を示す斜視図である。
【図１０】温室として使用する場合のカバーの斜視図である。
【図１１】本発明の植木鉢用棚の第２の実施の形態の横断面図である。
【発明を実施するための形態】
【００１５】
以下に、本発明を、その実施の形態を参照して詳しく説明する。
図１および図２は、本発明の植木鉢用棚の第１の実施の形態をあらわしている。
【００１６】
図１および図２に示すように、この植木鉢用棚Ａは、天然杉の角材を加工して形成された４本の支柱１と、天然杉の角材を加工して形成された４対の棚板受けバー２と、天然杉の角材を加工して形成された５対の短辺側連結バー３と、天然杉の角材を加工して形成された４本の屋根形成材４と、天然杉の角材を加工して形成された屋根補強材５と、天然杉の板材からなる１６枚の棚板６を備えている。
４本の支柱１は、下端にゴム、合成樹脂からなるキャップ１１が被されていて、上端面が後述する三角屋根部４０の傾斜勾配に沿うようにカットされているとともに、さね嵌合溝１３が形成されている。
【００１７】
また、４本の支柱１は、方形に配置され、後で詳述するように、支柱１の高さ方向の４箇所あるいは５箇所で、隣接する支柱１同士が平行になるように間欠的に連結されている。
すなわち、支柱１には、直交する２つの側面の棚板受けバー２の取り付け位置および短辺側連結バー３の取り付け位置に、ボス穴１２がそれぞれ穿設されていて、図３〜図７に示すように、このボス穴１２に棚板受けバー２の端面に突設されたボス２２、あるいは、短辺側連結バー３の端面に突設されたボス３１が嵌合するようになっている。
【００１８】
棚板受けバー２は、支柱１と同じ太さの天然杉の角材を加工して形成されていて、図１、図３に示すように、支柱１の同じ高さ位置で対向して配置される対となる棚板受けバー２側の上縁部が直角に切り欠かれた長手方向に連続する切欠部２１を備えている。
すなわち、切欠部２１は、棚板受部２１ａとこの棚板受部２１ａから垂直に立ち上がる立上り壁２１ｂを備えている。
【００１９】
また、棚板受けバー２の長手方向の両端面には、図４に示すように、ボス穴１２に嵌合するボス２２が突設されている。
そして、各棚板受けバー２は、図５に示すように、ボス２２を２本の支柱１の側面に設けられた同じ高さ位置のボス穴１２に嵌合させたのち、支柱１のボス穴１２形成面と逆の面から木ねじ７をボス２２にねじ込むことによって支柱１に固定されている。
また、上下の棚板受けバー２の間隔は、全て同じ間隔となっている。
【００２０】
短辺側連結バー３は、支柱１と同じ太さの天然杉の角材を加工して形成されていて、上記棚板受けバー２より長さが短いとともに、図６に示すように、両端面にボス３１が突設されている。
また、短辺側連結バー３は、最上段の短辺側連結バー３を除き、支柱１の棚板受けバー２と同じ高さ位置に設けられたボス穴１２にボス３１がそれぞれ嵌合し、木ねじ７で固定されている。
【００２１】
最上段の短片側連結バー３は、図７に示すように、支柱１の上端部間を連結するように設けられている。
そして、これらの短辺側連結バー３が支柱１間に配置固定されることによって、各段の対となる棚板受けバー２が平行に配置される。
【００２２】
４本の屋根形成材４は、それぞれ一端にあいじゃくり構造の接合部４１を有し、他端にさね４２が形成されている。
そして、対となる２本の屋根形成材４は、図７に示すように、接合部４１同士を重ね合わせるとともに、木ねじ７で重ね合わせ部を固定して所定の屋根勾配の三角屋根部４０が形成される。
三角屋根部４０は、図８に示すように、さね４２が支柱１の上端面に穿設されたさね嵌合溝１３に嵌合した状態で木ねじ７によって支柱１の上端部に固定されている。
【００２３】
屋根補強材５は、短辺側連結バー３と同じ長さをしていて、２つの三角屋根部４０の頂部間に入り込んで木ねじ７によって三角屋根部４０に固定されている。
【００２４】
各棚板６は、天然杉の板材からなり、その短手方向に長さ（幅）は、切欠部２１の全長の１／８と同じか少し短くなっていて、長手方向の長さが、対となる棚板受けバー２の立上り壁２１ｂ間に距離より４ｍｍ〜１０ｍｍ短くなっている。
また、棚板６は、その厚みが、立上り壁２１ｂの高さと同じになっている。
【００２５】
すなわち、各棚板６は、両端部が対となる棚板受けバーの切欠部２１に嵌り込み、切欠部２１の長手方向にスライド可能に棚板受部２１ａに下方から受けられる
【００２６】
この植木鉢用棚Ａは、上記のようになっており、たとえば、図１に示すように、最下段の棚板６のように、４枚の棚板６を間隔を開けて配置すれば、大きな載置部を受ける棚部を形成でき、２段目、３段目のように、４枚の棚板６を一側に寄せるようにすれば、棚板受けバー２の一側に棚部が形成され、他側に開口が形成される。
そして、この開口は、たとえば、開口より下段の棚部にこの開口を下方から臨むように、植木鉢を配置するようにすれば、植木鉢に植栽された植物が大きく成長する場合においても成長を妨げることなく植物を育成することができる。
【００２７】
また、棚板６は、最上段に一点鎖線で示すようにいずれかの棚板６を取り除くようにすれば、大きな開口を設けることができる。
なお、棚板６は、図１の状態に限定されるものではなく、必要に応じて、いろいろなパターンにすることができる。たとえば、１つの段に８枚の棚板６を棚板受けバー２の全長にわたって並べ、他の段の棚板６の数を減らすようにしても構わない。
また、棚板６の移動は、切欠部２１へ嵌合を解除してもよいし、スライドさせても構わない。
【００２８】
この植木鉢用棚は、上記のように、切欠部２１に棚板６の端部を嵌め込むことによって、棚板６の長手方向の移動が規制される。
したがって、棚板６を棚板受けバー２にビスなどで固定する必要がない。
【００２９】
すなわち、棚板６の配置パターンを容易に変更することができる。
しかも、棚板６の長手方向の寸法が立上り壁２１ｂ間の距離より４〜１０ｍｍ短いだけであるので、棚板６をその端面が立上り壁２１ｂによってガイドされながらスムーズに切欠部２１の長手方向にスライドさせることができ、棚板６の配置位置の調整を容易に行うことができる。
【００３０】
また、棚板６の厚みが、立上り壁２１ｂの高さと同じであるので、棚板６の上面と、棚板受けバー２の上面が面一となる。
したがって、棚板受けバー２の上面も棚部の一部として利用することができる。
【００３１】
なお、この植木鉢用棚Ａは、図９に示すように、樹脂製のカバー９を被せることによって、温室として用いることができる。
カバー９は、図９および図１０に示すようにカバー本体９１と、扉部９２とを備えている。
【００３２】
カバー本体９１は、前面開口部９１ａを除き植木鉢用棚Ａの周面および天井面を覆う形状をしていて、図９に示すように、支柱固定紐９６で支柱１を結わえることによって植木鉢用棚Ａに固定されるようになっている。
また、カバー本体９１は、両側面に通気孔９５ａが穿設されている。
【００３３】
通気孔９５ａは、その上端が通気孔９５ａの上端でカバー本体９１に一体になった蓋９５ｂを開閉自在に備えている。
蓋９５ｂは、蓋９５ｂの下端が面状ファスナ９５ｃを介して、通気孔９５ａの下端に着脱自在になっている。
【００３４】
扉部９２は、その上端が前面開口部９１ａの上端に一体になっているとともに、ファスナ９１ｂによって両側縁が前面開口部９１ａの両側縁に接続されている。
そして、扉部９２は、ファスナ１９１ｂのスライダー９１ｃを上端まで移動させることによって、前面開口部９１ａ側縁への両側縁の接続が解除され、図９に示すように、上端まで巻き上げて、カバー本体９１に設けた扉部固定紐９４により巻き上げ状態に保持することができるようになっている。
【００３５】
図１１は、本発明の植木鉢用棚の第２の実施の形態をあらわしている。
図１１に示すように、この植木鉢用棚Ｂは、支柱１が３本ずつ２列に配置され、この２列の対向する支柱１が短辺側連結バー３を介して連結されるとともに、各列の３本の支柱１が支柱１間に配置された棚板受けバー２を介して連結されているとともに、図示していないが、各列の３本の支柱１のうち、外側の２本の支柱１の上端に屋根形成材４の下端が固定されている以外は、上記第１の実施の形態と同様になっている。
【００３６】
本発明の植木鉢用棚は、主に、植木鉢が棚板上に載置されるが、植木鉢以外のものを載置するようにしても構わない。
本発明は、上記の実施の形態に限定されない。上記の実施の形態では、棚板がすべて同じ幅の板材で形成されていたが、必要に応じて幅の異なる棚板を組み合わせるようにしても構わない。
【００３７】
上記の実施の形態では、上端に三角屋根部を備えていたが、屋根は無くして、カバーを支柱の上端で直接支持できるようにしても構わない。
上記の実施の形態では、支柱の下端にキャップが設けられていたが、キャップに代えてキャスターを設けるようにしても構わない。
【００３８】
上記の実施の形態では、棚板受けバーと短辺側連結バーが支柱の同じ高さ位置に設けられていたが、棚板受けバーと短辺側連結バー高さ位置がずれていても構わない。
上記の実施の形態では、棚板受けバーや短辺側連結バーが支柱に木ねじにより固定されていたが、固定は、木ねじと接着剤を併用してもよいし、接着剤だけでも構わない。
【００３９】
上記の実施の形態では、ボス穴が支柱の高さ方向にすべて等間隔で設けられていたが、間隔を異ならせて、各段間に棚板と棚板の間隔が異なるようにしても構わない。
上記の実施の形態では、立上り壁が棚板受部から垂直に立ち上がっていたが、少し鈍角になっていても構わない。
【符号の説明】
【００４０】
Ａ，Ｂ  植木鉢用棚
１  支柱
１１  キャップ
１２  ボス穴
１３  さね嵌合溝
２  棚板受けバー
２１  切欠部
２１ａ  棚板受部
２１ｂ  立上り壁
２２  ボス
３  短辺側連結バー
３１  ボス
４  屋根形成材
４０  三角屋根部
４１  接合部
４２  さね
５  補強バー
６  棚板
７  木ねじ
９  カバー
９１  カバー本体
９１ａ  開口部
９１ｂ  ファスナ
９１ｃ  スライダー
９２  扉部
９４  扉部固定紐
９５ａ  通気孔
９５ｂ  蓋
９５ｃ  面状ファスナ
９６  支柱固定紐
【図１】
2019041673.tif 000003
【図２】
2019041673.tif 000004
【図３】
2019041673.tif 000005
【図４】
2019041673.tif 000006
【図５】
2019041673.tif 000007
【図６】
2019041673.tif 000008
【図７】
2019041673.tif 000009
【図８】
2019041673.tif 000010
【図９】
2019041673.tif 000011
【図１０】
2019041673.tif 000012
【図１１】
2019041673.tif 000013